(57)【特許請求の範囲】
【請求項１】
不織布からなる表面シートを含み、互いに直交する長手方向、幅方向及び厚さ方向を有する吸収性物品であって、
前記吸収性物品は、前記長手方向における一方側端縁部及び他方側端縁部を有し、
さらに、前記吸収性物品は、平面視にて、
前記一方側端縁部及び前記幅方向に延びる長手方向中心軸線の間に位置し且つ前記幅方向に延びる幅方向第１仮想直線と、前記他方側端縁部及び前記長手方向中心軸線の間に位置し且つ前記幅方向に延びる幅方向第２仮想直線と、の間に位置する長手方向中央領域と、
前記一方側端縁部及び前記幅方向第１仮想直線の間に位置する長手方向第１領域と、
前記他方側端縁部及び前記幅方向第２仮想直線の間に位置する長手方向第２領域と、を有し、
前記表面シートは、前記長手方向中央領域における、前記不織布を構成する繊維の毛羽立ち量が、前記長手方向第１領域及び前記長手方向第２領域からなる長手方向端部領域における前記繊維の毛羽立ち量よりも多く、
さらに、前記表面シートは、前記厚さ方向において前記吸収性物品の肌対向面側に向かって突出し且つ前記幅方向に連続的に延びる凸部と、前記厚さ方向において前記吸収性物品の非肌対向面側に向かって窪み且つ前記凸部と並行して連続的に延びる凹部とが交互に配置された凹凸構造を備えている、
前記吸収性物品。
【請求項２】
不織布からなる表面シートを含み、互いに直交する長手方向、幅方向及び厚さ方向を有する吸収性物品であって、
前記吸収性物品は、前記幅方向における一方側端縁部及び他方側端縁部を有し、
さらに、前記吸収性物品は、平面視にて、
前記一方側端縁部及び前記長手方向に延びる幅方向中心軸線の間に位置し且つ前記長手方向に延びる長手方向第１仮想直線と、前記他方側端縁部及び前記長手方向に延びる幅方向中心軸線の間に位置し且つ前記長手方向に延びる長手方向第２仮想直線と、の間に位置する幅方向中央領域と、
前記一方側端縁部及び前記長手方向第１仮想直線の間に位置する幅方向第１領域と、
前記他方側端縁部及び前記長手方向第２仮想直線の間に位置する幅方向第２領域と、を有し、
前記表面シートは、前記幅方向中央領域における、前記不織布を構成する繊維の毛羽立ち量が、前記幅方向第１領域及び前記幅方向第２領域からなる幅方向端部領域における前記繊維の毛羽立ち量よりも多く、
さらに、前記表面シートは、前記厚さ方向において前記吸収性物品の肌対向面側に向かって突出し且つ前記幅方向に連続的に延びる凸部と、前記厚さ方向において前記吸収性物品の非肌対向面側に向かって窪み且つ前記凸部と並行して連続的に延びる凹部とが交互に配置された凹凸構造を備えている、
前記吸収性物品。
【請求項３】
前記不織布を構成する繊維が親水性繊維である、請求項１又は２に記載の吸収性物品。
【請求項４】
前記凸部は、前記表面シートの前記非肌対向面側の表面が面する空洞部を有する、請求項３に記載の吸収性物品。
【請求項５】
前記吸収性物品は、前記厚さ方向において非肌対向面側に位置する裏面シートと、前記表面シート及び前記裏面シートの間に位置する中間シートと、を更に備え、
前記表面シートは、熱融着性繊維を含み、
前記中間シートは、熱融着性繊維を含み且つ該熱融着性繊維同士が接合した複数の接合部を有する疎水性不織布によって構成され、さらに、前記中間シートに含まれる前記熱融着性繊維の含有量が前記表面シートに含まれる前記熱融着性繊維の含有量よりも多い、請求項１〜４のいずれか一項に記載の吸収性物品。
【発明の詳細な説明】
【技術分野】
【０００１】
本発明は、パンティーライナー、軽失禁パッド、生理用ナプキン等の吸収性物品に関する。
【背景技術】
【０００２】
従来より、パンティーライナー、軽失禁パッド、生理用ナプキン等の吸収性物品においては、尿や経血等の液状排泄物を迅速に吸収し、外部に漏れないように保持する能力が求められており、さらに近年では、このような能力に加えて肌触りや着用感に優れることなどが求められている。
【０００３】
そのような吸収性能と肌触りに優れた吸収性物品として、例えば、特許文献１には、コットン不織布によって構成された表面シートと、熱融着性繊維シートと、吸収体とを積層した状態で、表面側から多数のエンボスを施してなる吸収性物品が開示されている。この特許文献１に開示された吸収性物品によれば、柔軟性を損なうことなく、表面シートに吸収された水分を素早く内部に浸透させることができるとされている。
しかしながら、表面シートを構成するコットン不織布は、着用者から排出された尿などの液状排泄物を吸収して、保持し易い性質を有しているため、特許文献１に開示された吸収性物品は、着用者から尿などの液状排泄物が排泄されると、当該液状排泄物が表面シートにおいて吸収、保持されて、表面シートが湿潤した状態となり、着用者がべたつき感などの不快な感覚を感じてしまい、結果的に吸収性物品の着用感が低下する虞があった。
【０００４】
一方において、特許文献２には、編地において、吸水性繊維として異型断面を有する合成繊維を含有し、且つ所定の起毛長で繊維を起毛させることにより、汗などによるべたつき感を解消する技術が開示されている。
仮に、このような技術を吸収性物品の表面シートに適用しようとすると、当該吸収性物品を着用した着用者が、立ったり、座ったり、歩いたりする等の動作を行ったときに、着用者の肌面（具体的には、刺激を感じ易い股間部及びその周辺の肌面）と表面シートの肌対向面側の表面とが擦れて、着用者が、表面シートの起毛繊維によってチクチク感などの不快な刺激を感じてしまい、結果的に吸収性物品の着用感が低下する虞があった。
【０００５】
このように、従来の吸収性物品においては、優れた吸収性能と、着用者の動作時における着用感とを両立させることは困難であった。
【先行技術文献】
【特許文献】
【０００６】
【特許文献１】特許第５０７４９１３号公報
【特許文献２】特許第５０７３２０２号公報
【発明の概要】
【発明が解決しようとする課題】
【０００７】
そこで、本発明は、優れた吸収性能を備えつつ、着用者の動作時においても着用感が良好な吸収性物品を提供することを目的とする。
【課題を解決するための手段】
【０００８】
本発明の一態様（態様１）は、不織布からなる表面シートを含み、互いに直交する長手方向、幅方向及び厚さ方向を有する吸収性物品であって、
前記吸収性物品は、前記長手方向における一方側端縁部及び他方側端縁部を有し、
さらに、前記吸収性物品は、平面視にて、
前記一方側端縁部及び前記幅方向に延びる長手方向中心軸線の間に位置し且つ前記幅方向に延びる幅方向第１仮想直線と、前記他方側端縁部及び前記長手方向中心軸線の間に位置し且つ前記幅方向に延びる幅方向第２仮想直線と、の間に位置する長手方向中央領域と；
前記一方側端縁部及び前記幅方向第１仮想直線の間に位置する長手方向第１領域と；
前記他方側端縁部及び前記幅方向第２仮想直線の間に位置する長手方向第２領域と；を有し、
前記表面シートは、前記長手方向中央領域における、前記不織布を構成する繊維の毛羽立ち量が、前記長手方向第１領域及び前記長手方向第２領域からなる長手方向端部領域における前記繊維の毛羽立ち量よりも多く、
さらに、前記表面シートは、前記厚さ方向において前記吸収性物品の肌対向面側に向かって突出し且つ前記幅方向に連続的に延びる凸部と、前記厚さ方向において前記吸収性物品の非肌対向面側に向かって窪み且つ前記凸部と並行して連続的に延びる凹部とが交互に配置された凹凸構造を備えている、前記吸収性物品である。
【０００９】
この態様１の吸収性物品は、不織布からなる表面シートの前記長手方向中央領域における繊維の毛羽立ち量が、前記長手方向端部領域における繊維の毛羽立ち量よりも多い（換言すると、前記長手方向端部領域における繊維の毛羽立ち量が、前記長手方向中央領域における繊維の毛羽立ち量よりも少ない）ため、着用者の動作による影響を受け難い前記長手方向中央領域においては、上述の毛羽立ちによる優れた吸収性能を発揮しつつも、着用者の動作（特に、立ったり、座ったりする等の長手方向の動きが大きい動作）時に着用者の肌面と擦れ易い前記長手方向端部領域においては、繊維の毛羽立ちによるチクチク感などの不快な刺激が着用者に感取され難く、良好な着用感を着用者に提供することができる。
さらに、本態様の吸収性物品は、前記表面シートが、吸収性物品の幅方向に連続的に延びる凸部と、該凸部と並行して連続的に延びる凹部とが交互に配置された特定の凹凸構造を備えているため、着用者の曲率の大きい部分（股間部の腹側部分や臀部等）に対応する長手方向へ曲がり易く（なお、凸部及び凹部がそれぞれ幅方向に延びている場合、表面シートは長手方向へ曲がり易くなる。）、着用者の身体形状に沿って長手方向へ容易に変形することができる。この長手方向への変形によって、吸収性物品が、着用者に対して固定されてズレ難くなり、着用者の動作時においても、上述の長手方向中央領域を吸収性物品の所定領域、すなわち、着用者の排泄口に対応する領域に着実に位置決めすることができるため、上述の作用効果（すなわち、前記長手方向中央領域において優れた吸収性能を発揮しつつ、良好な着用感を着用者に提供することができるという作用効果）を、着用者の動作時においても的確に発揮することができる。
【００１０】
また、本発明の別の態様（態様２）は、不織布からなる表面シートを含み、互いに直交する長手方向、幅方向及び厚さ方向を有する吸収性物品であって、
前記吸収性物品は、前記幅方向における一方側端縁部及び他方側端縁部を有し、
さらに、前記吸収性物品は、平面視にて、
前記一方側端縁部及び前記長手方向に延びる幅方向中心軸線の間に位置し且つ前記長手方向に延びる長手方向第１仮想直線と、前記他方側端縁部及び前記長手方向に延びる幅方向中心軸線の間に位置し且つ前記長手方向に延びる長手方向第２仮想直線と、の間に位置する幅方向中央領域と；
前記一方側端縁部及び前記長手方向第１仮想直線の間に位置する幅方向第１領域と；
前記他方側端縁部及び前記長手方向第２仮想直線の間に位置する幅方向第２領域と；を有し、
前記表面シートは、前記幅方向中央領域における、前記不織布を構成する繊維の毛羽立ち量が、前記幅方向第１領域及び前記幅方向第２領域からなる幅方向端部領域における前記繊維の毛羽立ち量よりも多く、
さらに、前記表面シートは、前記厚さ方向において前記吸収性物品の肌対向面側に向かって突出し且つ前記幅方向に連続的に延びる凸部と、前記厚さ方向において前記吸収性物品の非肌対向面側に向かって窪み且つ前記凸部と並行して連続的に延びる凹部とが交互に配置された凹凸構造を備えている、前記吸収性物品である。
【００１１】
この態様２の吸収性物品は、不織布からなる表面シートの前記幅方向中央領域における繊維の毛羽立ち量が、前記幅方向端部領域における繊維の毛羽立ち量よりも多い（換言すると、前記幅方向端部領域における繊維の毛羽立ち量が、前記幅方向中央領域における繊維の毛羽立ち量よりも少ない）ため、着用者の動作による影響を受け難い前記幅方向中央領域においては、上述の毛羽立ちによる優れた吸収性能を発揮しつつも、着用者の動作（特に、歩行等の幅方向や捻じれ方向（長手方向を軸として捻じれる方向）の動きが大きい動作）時に着用者の肌面と擦れ易い前記幅方向端部領域においては、繊維の毛羽立ちによるチクチク感などの不快な刺激が着用者に感取され難く、良好な着用感を着用者に提供することができる。
さらに、本態様の吸収性物品は、前記表面シートが、吸収性物品の幅方向に連続的に延びる凸部と、該凸部と並行して連続的に延びる凹部とが交互に配置された特定の凹凸構造を備えているため、着用者の曲率の大きい部分（股間部の腹側部分や臀部等）に対応する長手方向へ曲がり易く（なお、凸部及び凹部がそれぞれ幅方向に延びている場合、表面シートは長手方向へ曲がり易くなる。）、着用者の身体形状に沿って長手方向へ容易に変形することができる。この長手方向への変形によって、吸収性物品が、着用者に対して固定されてズレ難くなり、着用者の動作時においても、上述の幅方向中央領域を吸収性物品の所定領域、すなわち、着用者の排泄口に対応する領域に着実に位置決めすることができるため、上述の作用効果（すなわち、前記幅方向中央領域において優れた吸収性能を発揮しつつ、良好な着用感を着用者に提供することができるという作用効果）を、着用者の動作時においても的確に発揮することができる。
【００１２】
更に本発明の別の態様（態様３）では、前記態様１又は２の吸収性物品において、前記不織布を構成する繊維が親水性繊維である。
【００１３】
この態様３の吸収性物品は、表面シートに用いる不織布を構成する繊維が親水性繊維であるため、着用者から排泄された尿などの液状排泄物を、表面シートにおいて迅速に吸収・保持することができる。さらに、本態様の吸収性物品は、上述の凹凸構造によって表面シートと着用者の肌面との接触面積が相対的に小さくなっているため、表面シートに保持された液状排泄物に起因するべたつきが着用者に感取され難くなる。
したがって、本態様の吸収性物品は、上述の良好な着用感を維持しつつ、より優れた吸収性能を発揮することができる。
【００１４】
更に本発明の別の態様（態様４）では、前記態様３の吸収性物品において、前記凸部は、前記表面シートの前記非肌対向面側の表面が面する空洞部を有している。
【００１５】
この態様４の吸収性物品は、表面シートにおける凹凸構造の凸部が、上記空洞部を有しているため、着用者から排泄される液状排泄物の吸収前においては、上記空洞部によって良好なクッション性を発揮することができる一方、液状排泄物の吸収後においては、表面シートに用いる不織布の親水性繊維間の空隙が液状排泄物によって減少することにより、上記空洞部も減少又は消失し、着用者の肌面と表面シートとの間に空隙が形成され易くなるため、表面シートに保持された液状排泄物が着用者の肌面に接触し難くなり、当該液状排泄物に起因するべたつきが着用者に感取され難くなる。
さらに、液状排泄物の吸収後は、上記空洞部が減少又は消失することにより、表面シートと該表面シートの非肌対向面側に配置される層（例えば、中間シートや吸収体等）との間の距離が短くなるため、液状排泄物が、表面シートから該表面シートの非肌対向面側に配置される層へと移行し易くなり、表面シート内に残留する液状排泄物に起因するべたつきがより生じ難くなる。
したがって、本態様の吸収性物品は、上述の優れた吸収性能を維持しつつ、液状排泄物の吸収前後において、更に優れた着用感を着用者に提供することができる。
【発明の効果】
【００１６】
本発明によれば、優れた吸収性能を備えつつ、着用者の動作時においても着用感が良好な吸収性物品を提供することができる。
【図面の簡単な説明】
【００１７】
【図１】図１は、本発明の第１実施形態に係るパンティーライナー１の部分破断斜視図である。
【図２】図２は、本発明の第１実施形態に係るパンティーライナー１の平面図である。
【図３】図３は、本発明の第１実施形態に係るパンティーライナー１の図２におけるIII−III線に沿った部分断面図である。
【図４】図４は、本発明の第２実施形態に係るパンティーライナー１０の平面図である。
【発明を実施するための形態】
【００１８】
以下、本発明の吸収性物品の好適な実施形態について、図面を参照しながら詳細に説明する。なお、本明細書においては、特に断りのない限り、「展開した状態で水平面上に置いた対象物（例えば、吸収性物品、吸収体等）を、垂直方向の上方側（対象物が吸収性物品の場合は表面シート側）から対象物の厚さ方向に見ること」を、単に「平面視」という。
【００１９】
また、本明細書において用いられる各種方向等については、特に断りのない限り、以下のとおりである。
本明細書において、「幅方向」は、「平面視における縦長の対象物の長さの短い方向（短手方向）」を指し、「長手方向」は、「平面視における縦長の対象物の長さの長い方向」を指し、「厚さ方向」は、「展開した状態で水平面上に置いた対象物に対して垂直方向」を指し、これらの幅方向、長手方向及び厚さ方向は、それぞれ互いに直交する関係にある。
さらに、本明細書では、特に断りのない限り、吸収性物品の厚さ方向において、「吸収性物品の着用時に、着用者の肌面に対して相対的に近位側」を「肌対向面側」といい、「吸収性物品の着用時に、着用者の肌面に対して相対的に遠位側」を「非肌対向面側」という。
【００２０】
図１は、本発明の第１実施形態に係るパンティーライナー１の部分破断斜視図であり、図２は、パンティーライナー１の平面図である。また、図３は、本発明の第１実施形態に係るパンティーライナー１の図２におけるIII−III線に沿った部分断面図である。
【００２１】
図１及び図２に示すように、本発明の第１実施形態に係るパンティーライナー１は、平面視にて、外形形状が長手方向Ｌに長い形状を有し、さらに、前記長手方向Ｌの略中央部分の外縁が幅方向Ｗに僅かに括れた略小判形の縦長の形状を有している。なお、本発明において、吸収性物品の外形形状は、特に限定されず、長手方向Ｌの長さ寸法が幅方向Ｗの幅寸法よりも長い縦長の形状のものであれば、各種用途等に応じて任意の形状（例えば、長方形、楕円形、瓢箪形など）を採用することができる。
【００２２】
図１及び図３に示すように、パンティーライナー１は、厚さ方向Ｔにおいて、着用者の肌対向面側に位置し且つ後述する特定の凹凸構造２０を備えた不織布からなる表面シート２と、着用者の非肌対向面側に位置する液不透過性シートからなる裏面シート３と、これらのシートの間に位置する中間シート４と、を備えていて、表面シート２の前記肌対向面側の表面２ａは、パンティーライナー１の肌対向面側の表面（すなわち、着用者から排泄される尿などの液状排泄物の供給面）を形成し、裏面シート３の前記非肌対向面側の表面は、パンティーライナー１の非肌対向面側の表面を形成している。
なお、本実施形態においては、表面シート２と中間シート４との間及び中間シート４と裏面シート３との間は、図３に示すように、それぞれ後述するホットメルト型接着剤による第１接着層Ａ１及び第２接着層Ａ２を介して接合されている。
【００２３】
また、図３に示すように、裏面シート３の非肌対向面側の表面には、幅方向Ｗに連続的に延びる粘着剤層６が、長手方向Ｌに沿って複数本並ぶように（いわゆる、ストライプ状に）配置された着衣固定用粘着部を備えていて、さらに、該着衣固定用粘着部の非肌対向面側の表面には、使用前の着衣固定用粘着部を保護するための剥離シート５が配置されている。なお、粘着剤層を形成する粘着剤は、吸収性物品を着用者の着衣（例えば、下着等）に固定し得るものであれば特に限定されず、例えば、スチレン系ポリマー等を含む任意の粘着剤を用いることができる。また、着衣固定用粘着部における粘着剤層の配置パターンは、特に限定されず、粘着剤層は、幅方向Ｗに間欠的に延びていてもよく、また、長手方向Ｌに延びていてもよい。
【００２４】
なお、パンティーライナー１は、着用する際に、上述の剥離シート５を剥がして、パンティーライナー１を、裏面シート３の非肌対向面側の表面に配置された着衣固定用粘着部によって着用者の着衣７（例えば、下着）の内側の表面に固定し、表面シート２が着用者の肌面に対向するようにして着用される。
【００２５】
そして、本実施形態に係るパンティーライナー１は、図２に示すように、前記長手方向Ｌにおける一方側端縁部ＥＬ１及び他方側端縁部ＥＬ２を有し、且つ、平面視にて、前記一方側端縁部ＥＬ１及び前記幅方向Ｗに延びる長手方向中心軸線ＣＷの間に位置し且つ前記幅方向Ｗに延びる幅方向第１仮想直線ＬＷ１と、前記他方側端縁部ＥＬ２及び前記長手方向中心軸線ＣＷの間に位置し且つ前記幅方向Ｗに延びる幅方向第２仮想直線ＬＷ２と、の間に位置する長手方向中央領域ＡＬＣと；前記一方側端縁部ＥＬ１及び前記幅方向第１仮想直線ＬＷ１の間に位置する長手方向第１領域ＡＬ１と；前記他方側端縁部ＥＬ２及び前記幅方向第２仮想直線ＬＷ２の間に位置する長手方向第２領域ＡＬ２と；を有していて、不織布からなる前記表面シート２は、図３に示すように、前記長手方向中央領域ＡＬＣにおける、前記不織布を構成する繊維の毛羽立ち量が、前記長手方向第１領域ＡＬ１及び前記長手方向第２領域ＡＬ２からなる長手方向端部領域における前記繊維の毛羽立ち量よりも多くなるように構成されている。
なお、本発明において、長手方向の一方側端縁部及び長手方向中心軸線の間における前記幅方向第１仮想直線の位置と、長手方向の他方側端縁部及び前記長手方向中心軸線の間における前記幅方向第２仮想直線の位置は、上述の長手方向中央領域が着用者の排泄口に対応する領域を長手方向において包含する（すなわち、上述の長手方向中央領域の長手方向長さが着用者の排泄口に対応する領域の長手方向長さよりも長くなる）ように、吸収性物品の種類等に応じて適宜設定されるものである。例えば、上述の実施形態においては、幅方向第１仮想直線ＬＷ１と幅方向第２仮想直線ＬＷ２は、パンティーライナー１を長手方向Ｌに略３等分する位置にそれぞれ設定されている。
【００２６】
本実施形態に係るパンティーライナー１は、不織布からなる表面シート２の前記長手方向中央領域ＡＬＣにおける繊維の毛羽立ち量が、前記長手方向端部領域（すなわち、前記長手方向第１領域ＡＬ１及び前記長手方向第２領域ＡＬ２）における繊維の毛羽立ち量よりも多い（換言すると、前記長手方向端部領域における繊維の毛羽立ち量が、前記長手方向中央領域ＡＬＣにおける繊維の毛羽立ち量よりも少ない）ため、着用者の動作による影響を受け難い前記長手方向中央領域ＡＬＣにおいては、上述の毛羽立ちによる優れた吸収性能（具体的には、毛羽立ち部分は、不織布内の繊維が一定程度解れた状態にあるため、液の透過性が高く、吸収速度が速くなる。）を発揮しつつも、着用者の動作（特に、立ったり、座ったりする等の長手方向Ｌの動きが大きい動作）時に着用者の肌面と擦れ易い前記長手方向端部領域においては、繊維の毛羽立ちによるチクチク感などの不快な刺激が着用者に感取され難く、良好な着用感を着用者に提供することができる。
なお、繊維の毛羽立ち量等については、後述の表面シートの説明の際に併せて詳説する。
【００２７】
さらに、本実施形態に係るパンティーライナー１は、図１及び図３に示すように、上述の不織布からなる表面シート２が、パンティーライナー１の厚さ方向Ｔにおいて当該パンティーライナー１の肌対向面側に向かう方向Ｄａに突出し且つパンティーライナー１の幅方向Ｗに連続的に延びる凸部２１と、前記厚さ方向Ｔにおいてパンティーライナー１の非肌対向面側に向かう方向Ｄｂに窪み且つ前記凸部２１と並行して連続的に延びる凹部２２とが、前記長手方向Ｌに沿って交互に配置された特定の凹凸構造２０を備えている。
なお、本実施形態においては、上記凹凸構造２０における凸部２１は、表面シート２の前記非肌対向面側の表面２ｂが面する空洞部２３を更に有しているが、本発明においてはこのような形態に限定されず、表面シートの凹凸構造は、上述のような空洞部を有していなくてもよい。
【００２８】
本実施形態に係るパンティーライナー１は、表面シート２が、パンティーライナー１の幅方向Ｗに連続的に延びる凸部２１と、該凸部２１と並行して連続的に延びる凹部２２とが交互に配置された特定の凹凸構造２０を備えているため、着用者の曲率の大きい部分（股間部の腹側部分や臀部等）に対応する長手方向Ｌへ曲がり易く、着用者の身体形状に沿って長手方向Ｌへ容易に変形することができる。この長手方向Ｌへの変形によって、パンティーライナー１が、着用者に対して固定されてズレ難くなり、着用者の動作時においても、上述の長手方向中央領域ＡＬＣをパンティーライナー１の所定領域（すなわち、着用者の排泄口に対応する領域）に着実に位置決めすることができるため、上述の作用効果（すなわち、前記長手方向中央領域ＡＬＣにおいて優れた吸収性能を発揮しつつ、良好な着用感を着用者に提供することができるという作用効果）を、着用者の動作時においても的確に発揮することができる。
【００２９】
以下、本発明の吸収性物品を構成する各種部材について、更に詳細に説明する。
【００３０】
［表面シート］
本実施形態に係るパンティーライナー１において、表面シート２は、図１及び図３に示すように、着用者の肌面に直に接触し得る、パンティーライナー１の厚さ方向Ｔにおける肌対向面側の位置に配置されていて、パンティーライナー１の肌対向面側の表面を形成する前記表面２ａと、該表面２ａとは反対側の表面である前記非肌対向面側の表面２ｂとを有し、且つ上述の特定の凹凸構造２０を有する不織布によって構成されている。
【００３１】
なお、本実施形態において表面シート２は、平面視にて、パンティーライナー１の長手方向Ｌに沿う方向に長い縦長の平面視形状を有しているが、本発明の吸収性物品においてはこのような形状に限定されず、表面シートは、任意の平面視形状及びサイズのものを採用することができる。
【００３２】
また、本実施形態において、表面シート２を構成する不織布は、親水性繊維によって形成されている。表面シートを構成する不織布が、親水性繊維によって形成されていると、着用者から排泄された尿などの液状排泄物を、表面シートにおいて迅速に吸収して、保持することができる。すなわち、表面シートが吸収性物品における吸収層として機能し得る。ここで、本発明の吸収性物品においては、上述の凹凸構造によって表面シートと着用者の肌面との接触面積が相対的に小さくなっているため、上述のように液状排泄物が表面シートに保持されていたとしても、表面シートに保持された液状排泄物に起因するべたつきが着用者に感取され難い。
したがって、表面シートとして親水性繊維によって形成された不織布を用いることで、吸収性物品は、良好な着用感を維持しつつ、より優れた吸収性能を発揮することができる。
【００３３】
さらに、上述のように、表面シートが吸収性物品における吸収層として機能し得ると、吸収性物品の種類等によっては、吸収性物品に吸収体等の吸収層を別途設ける必要がない（或いは吸収層を別途設けても、薄い吸収層で足りる）ため、吸収性物品を全体的に薄型化することができ、より一層優れた柔軟性や着用感を得ることができる。
なお、本発明において、表面シートを構成する不織布は、吸収性物品の表面シートとして機能し得るものであれば特に制限されず、上述の親水性繊維によって形成された不織布のほか、吸収性物品が吸収体等の吸収層を別途備えている場合などでは、親水化処理を施した熱可塑性樹脂繊維からなる不織布や、親水性繊維と疎水性繊維の混合繊維からなる不織布などの任意の不織布を用いることができる。
【００３４】
本発明において、表面シートを構成する不織布の種類は、特に限定されず、例えば、スパンレース不織布、エアスルー不織布、スパンボンド不織布、ポイントボンド不織布、メルトブローン不織布、及びこれらの組み合わせ（例えば、ＳＭＳ不織布等）などの任意の不織布を用いることができる。中でも、柔軟性等に優れるという点から、スパンレース不織布を用いることが好ましい。
【００３５】
また、不織布を構成する繊維についても特に制限されないが、例えば、コットン、粉砕パルプ等のセルロース繊維；レーヨン、フィブリルレーヨン等の再生セルロース繊維；アセテート、トリアセテート等の半合成セルロース繊維；親水化処理を施した熱可塑性樹脂繊維や複合繊維などの親水性繊維を好適に用いることができる。これらの中でも、吸液性や液保持性、柔軟性、肌触り、毛羽立ちの形成のし易さなどに優れるという点から、コットン等のセルロース繊維や再生セルロース繊維、半合成セルロース繊維等のセルロース系繊維を用いることが好ましく、さらに、コットン、レーヨン又はこれらを組み合わせた混合繊維を用いることがより好ましい。特に、表面シートを構成する不織布が、コットンによって形成されていると、着用者から排泄された尿などの液状排泄物を、表面シートにおいてより迅速に吸収して、保持することができる。すなわち、表面シートが、吸収性物品における吸収層としてより的確に機能することができる。
【００３６】
なお、吸収性物品が、尿などの液状排泄物を吸収・保持することができる吸収層を別途備えている場合、或いは対象とする液状排泄物の量が少ないと想定される場合などにおいては、表面シートを構成する不織布は、上述の親水性繊維のほかに、ポリエチレン（ＰＥ）、ポリプロピレン（ＰＰ）等のポリオレフィン系繊維；ポリエチレンテレフタレート（ＰＥＴ）等のポリエステル系繊維；熱融着性繊維などの疎水性の熱可塑性樹脂繊維を含んでいてもよいが、一定以上の吸収性能を確保するという点から、親水性繊維を５０質量％以上の質量割合で含んでいることが好ましく、６０質量％以上の質量割合で含んでいることが更に好ましい。
【００３７】
上述のとおり、本発明において、表面シートを構成する不織布は、親水性繊維のほかに、シート強度を向上させる等のために熱融着性繊維を含んでいてもよいが、特に、後述する中間シートが熱融着性繊維を含んでいるような場合は、表面シートを構成する不織布は、熱融着性繊維を含まないか、或いは、含んでいても中間シートの熱融着性繊維の含有量（質量割合）よりも少ない含有量（質量割合）で含んでいることが好ましい。表面シートを構成する不織布が、熱融着性繊維を含まないか、或いは、含んでいても中間シートの熱融着性繊維の含有量よりも少ない含有量で含んでいると、熱融着性繊維同士の融着によって形成される接合部（融着部）が、表面シートを構成する不織布内に存在しないか、或いは、存在していても中間シート内の接合部（融着部）の数よりも少ない数で存在することになるため、表面シートの剛性が中間シートの剛性よりも低くなり、表面シートが、適度な柔軟性や良好な肌触りを確保し易くなる。その結果、吸収性物品として良好な着用感を確保し易くなる。
【００３８】
表面シートの坪量は、本発明の効果を阻害しない限り特に制限されず、吸液性や柔軟性、肌触り等を勘案した任意の坪量を採用することができる。そのような坪量としては、例えば、１０ｇ／ｍ2〜１００ｇ／ｍ2の範囲内の坪量が挙げられ、好ましくは２０ｇ／ｍ2〜５０ｇ／ｍ2の範囲内である。なお、坪量は、ＪＩＳ  Ｌ  １９０６の５．２に従って測定することができる。
【００３９】
また、表面シートの厚みについても、本発明の効果を阻害しない限り特に制限されず、例えば、０．００１ｍｍ〜５．０ｍｍの範囲内の厚みを採用することができるが、吸液性や柔軟性、肌触りなどの点から、好ましくは０．０１ｍｍ〜３．０ｍｍの範囲内であり、更に好ましくは０．１ｍｍ〜１．０ｍｍの範囲内である。
【００４０】
ここで、表面シート及び後述する中間シートの厚みは、次の＜各種シートの厚みの測定方法＞に従って測定することができる。なお、表面シート及び中間シート以外の各種シート（例えば、裏面シート等）の厚みについても同様に測定することができる。
【００４１】
＜各種シートの厚みの測定方法＞
（１）測定対象のシートから、所定サイズ（例えば、１００ｍｍ×１００ｍｍ）のサンプルシートを切り出す。
（２）切り出したサンプルシートを、カトーテック（株）の自動化圧縮試験機「ＫＥＳ  ＦＢ−３Ａ」にセットして、当該試験機の測定端子によるサンプルシートへの圧力が４９Ｐａのときの厚み（ｍｍ）を測定し、この測定された厚み（ｍｍ）をサンプルシートの厚みとする。
【００４２】
そして、本実施形態において表面シート２は、図３に示すように、前記長手方向中央領域ＡＬＣにおける、前記不織布を構成する繊維の毛羽立ち量が、前記長手方向第１領域ＡＬ１及び前記長手方向第２領域ＡＬ２からなる長手方向端部領域における前記繊維の毛羽立ち量よりも多くなるように構成されている。なお、図３において、符号ＡＬＷ２は、前記幅方向第２仮想直線ＬＷ２を含む垂直方向（厚さ方向Ｔ）に平行な仮想平面であって、前記長手方向第１領域ＡＬ１及び前記長手方向第２領域ＡＬ２の境界面を含む仮想平面である。
【００４３】
ここで、本明細書において、「繊維の毛羽立ち量」は、対象領域における単位面積当たりの毛羽立った繊維ｆｎの数を意味する。なお、各領域における「繊維の毛羽立ち量」の多少を比較するに当たっては、当業界において毛羽立ちの評価方法として利用されている摩擦堅牢度試験を実施することにより、各領域における繊維の毛羽立ち量を比較することができる。かかる摩擦堅牢度試験は、次のようにして実施することができる。
【００４４】
＜摩擦堅牢度試験＞
（１）表面シートを構成する不織布から、測定対象領域を所定サイズ（例えば、３００ｍｍ×１５０ｍｍ）で切り出し、測定用サンプルを得る。
（２）測定用サンプルを、染色物摩擦堅牢度試験機（（株）大栄科学精機製作所製）の測定用ステージ上に固定する。
（３）染色部摩擦堅牢度試験機の摩擦端子の上面に２００ｇの錘を取り付けるとともに、下面に摩擦面を形成する布テープを貼り付ける。
（４）測定用ステージ上に固定された測定サンプルの表面を、上述の摩擦端子における摩擦面で擦る。このとき、摩擦端子の往復回数は３回、摩擦端子の移動範囲（往復幅）は１２０ｍｍである。
（５）摩擦端子で擦った後の、測定サンプルの表面の毛羽立ち状態を観察する。
【００４５】
不織布において、上述のように不織布の構成繊維が毛羽立っていると、当該繊維が毛羽立った部分は、不織布内の繊維が一定程度解れた状態にあるため、液の透過性が高く、吸収速度が速くなる。
したがって、本実施形態のように、不織布からなる表面シート２の前記長手方向中央領域ＡＬＣにおける繊維の毛羽立ち量が、前記長手方向端部領域における繊維の毛羽立ち量よりも多い（換言すると、前記長手方向端部領域における繊維の毛羽立ち量が、前記長手方向中央領域ＡＬＣにおける繊維の毛羽立ち量よりも少ない）と、着用者の動作による影響を受け難い前記長手方向中央領域ＡＬＣにおいては、上述の毛羽立ちによる優れた吸収性能を発揮することができる一方、着用者の動作時に着用者の肌面と擦れ易い前記長手方向端部領域においては、繊維の毛羽立ちによるチクチク感などの不快な刺激が着用者に感取され難く、良好な着用感を着用者に提供することができる。
【００４６】
本発明において、表面シートを構成する不織布に毛羽立ちを形成する手段は、特に制限されず、例えば、針布やエメリ等を用いた起毛手段、不織布の構成繊維の破断を伴う条件下で行うギア加工を利用する手段などが挙げられる。中でも、繊維の毛羽立ちと上述の特定の凹凸構造とを同時に形成することができるという点から、ギア加工を利用する手段が好ましい。
【００４７】
また、本実施形態において表面シート２は、図１及び図３に示すように、パンティーライナー１の厚さ方向Ｔにおいて当該パンティーライナー１の肌対向面側に向かう方向Ｄａに突出し且つパンティーライナー１の幅方向Ｗに連続的に延びる凸部２１と、前記厚さ方向Ｔにおいてパンティーライナー１の非肌対向面側に向かう方向Ｄｂに窪み且つ前記凸部２１と並行して連続的に延びる凹部２２とが、前記長手方向Ｌに沿って交互に配置された特定の凹凸構造２０を備えていて、さらに、前記凹凸構造２０における凸部２１は、表面シート２の前記非肌対向面側の表面２ｂが面する空洞部２３を有している。
【００４８】
上記したように、表面シート２がこのような特定の凹凸構造２０を備えていると、パンティーライナー１が着用者の曲率の大きい部分（股間部の腹側部分や臀部等）に対応する長手方向Ｌへ曲がり易く、着用者の身体形状に沿って長手方向Ｌへ容易に変形することができる。この長手方向Ｌへの変形によって、パンティーライナー１が、着用者に対して固定されてズレ難くなり、着用者の動作時においても、上述の長手方向中央領域ＡＬＣをパンティーライナー１の所定領域（すなわち、着用者の排泄口に対応する領域）に着実に位置決めすることができるため、上述の作用効果（すなわち、前記長手方向中央領域ＡＬＣにおいて優れた吸収性能を発揮しつつ、良好な着用感を着用者に提供することができるという作用効果）を、着用者の動作時においても的確に発揮することができる。
【００４９】
また、本実施形態においては、上記特定の凹凸構造２０における凸部２１は、上述のような空洞部２３を有しているが、本発明においてはこのような形態に限定されず、表面シートの凹凸構造は、上述のような空洞部を有していなくてもよい。但し、表面シートを構成する不織布が親水性繊維によって形成されている場合は、上記凹凸構造は、上述のような空洞部を有していることが好ましい。
表面シートが親水性繊維によって形成された不織布からなり、且つ、表面シートにおける凹凸構造の凸部が上述のような空洞部を有していると、かかる表面シートを備えた吸収性物品は、着用者から排泄される液状排泄物の吸収前においては、上記空洞部によって良好なクッション性を発揮することができる一方、液状排泄物の吸収後においては、表面シートを構成する不織布の親水性繊維間の空隙が液状排泄物によって減少することにより、上記空洞部も減少又は消失し、着用者の肌面と表面シートとの間に空隙が形成され易くなるため、表面シートに保持された液状排泄物が着用者の肌面に接触し難くなり、当該液状排泄物に起因するべたつきが着用者に感取され難くなる。さらに、液状排泄物の吸収後は、上記空洞部が減少又は消失することにより、表面シートと該表面シートの非肌対向面側に配置される層（例えば、中間シートや吸収体等）との間の距離が短くなるため、液状排泄物が、表面シートから該表面シートの非肌対向面側に配置される層へと移行し易くなり、表面シート内に残留する液状排泄物に起因するべたつきがより生じ難くなる。
したがって、このような表面シートを備えた吸収性物品は、上述の優れた吸収性能を維持しつつ、液状排泄物の吸収前後において、更に優れた着用感を着用者に提供することができる。
【００５０】
また、本発明において、凹凸構造における凸部のピッチ（すなわち、隣り合う２つの凸部の頂部中心同士の間隔（ｍｍ））については、特に制限されず、例えば、０．５ｍｍ〜５．０ｍｍの範囲内のピッチを採用することができるが、クッション性や肌触り等の観点から、好ましくは１．０ｍｍ〜４．０ｍｍの範囲内である。なお、この凸部のピッチは、無加圧状態における表面シートの平面写真又は平面画像に基づいて、隣り合う２つの凸部の頂部中心同士の間隔（ｍｍ）として測定することができる。
【００５１】
なお、本実施形態における表面シート２は、図３に示すように、凹凸構造２０の凹部２２の非肌対向面側の表面２ｂにおいて中間シート４と接合されている。この中間シートは、後述するように、本発明の吸収性物品においては必須の構成要素ではないため、吸収性物品がこのような中間シートを有していない場合は、表面シートは、非肌対向面側の表面において吸収層或いは（吸収層も有していない場合は）裏面シートと接合されていてもよい。
表面シートとこれらの構成部材（すなわち、中間シート、吸収層又は裏面シート）とを接合する手段は、特に制限されず、例えば、ホットメルト型接着剤やヒートシール等の熱融着法などの任意の接合手段を採用することができる。
【００５２】
表面シートに上述の特定の凹凸構造を形成する方法は、特に限定されず、例えば、繊維ウェブに連続的に気体（通常はエア）を吹き付ける方法や、ギア加工を利用する方法、真空成形又はプレス成形を利用する方法、熱伸長性繊維の熱伸長及び／又は熱収縮性繊維の熱収縮を利用する方法などの任意の賦形方法を採用することができる。中でも、凹凸構造と上述の繊維の毛羽立ちとを同時に形成することができるという点から、ギア加工を利用する方法が好ましい。
【００５３】
［中間シート］
本実施形態に係るパンティーライナー１において、中間シート４は、図３に示すように、パンティーライナー１の厚さ方向Ｔにおいて表面シート２と裏面シート３との間に位置するように配置されて、表面シートの強度を補強したり、パンティーライナー１の厚さ方向Ｔにクッション性を付与したりするように機能するものである。なお、この中間シートが、表面シートに接合されていると、表面シートの強度ひいては吸収性物品の強度が補強されて、吸収性物品にヨレが生じ難くなるため、吸収性物品の着用感を更に向上させることができる。
【００５４】
中間シートを構成するシート材としては、特に制限されないが、柔軟性や湿潤時のヨレ難さ等の点から、疎水性不織布を用いることが好ましい。なお、中間シートとして疎水性不織布を用いる場合、その疎水性の程度は、疎水性不織布の表面に水を滴下したときに、滴下した水を吸収しない程度の疎水性であれば足りるが、湿潤時のヨレ難さ等の点から、疎水性不織布の表面に水を滴下したときに、滴下した水が疎水性不織布の表面で弾かれて水滴を形成する程度の疎水性（いわゆる、撥水性）であることが更に好ましい。中間シートがこのような撥水性を有する不織布によって構成されていると、吸収性物品が液状排泄物を吸収して湿潤したとしても、吸収性物品がヨレ難く、良好な着用感を維持することができる。
【００５５】
中間シートに用いる疎水性不織布の種類は、特に制限されず、例えば、上述の表面シートと同様の種類の不織布を用いることができる。中でも、湿潤時の強度を維持し易い（すなわち、吸収性物品の湿潤時においても良好な着用感を維持し易い）という点から、エアスルー不織布を用いることが好ましい。
【００５６】
なお、上述の中間シートは、疎水性不織布を単独で用いた単層構造の疎水性不織布から構成されていても、２枚以上の疎水性不織布を用いた積層構造の疎水性積層不織布から構成されていてもよい。中間シートが疎水性積層不織布によって構成されていると、当該疎水性積層不織布の積層数を調節することで、吸収性物品の湿潤時の強度や柔軟性などを容易に調整することができる。
【００５７】
また、中間シートに用いる疎水性不織布を構成する繊維は、疎水性を有するものであれば特に限定されず、例えば、ＰＥ、ＰＰ等のポリオレフィン系繊維；ＰＥＴ等のポリエステル系繊維；芯鞘型複合繊維等の各種複合繊維などの疎水性の熱可塑性樹脂繊維を用いることができる。また、中間シートに用いる疎水性不織布は、剛性を向上させるために熱融着性繊維を含んでいてもよいが、特に、上述の表面シートが熱融着性繊維を含んでいるような場合は、表面シートの熱融着性繊維の含有量（質量割合）よりも多い含有量（質量割合）で熱融着性繊維を含んでいることが好ましい。中間シートに用いる疎水性不織布が、熱融着性繊維を、表面シートの熱融着性繊維の含有量よりも多い含有量で含んでいると、疎水性不織布内の熱融着性繊維同士の融着によって形成される接合部（融着部）が、表面シートを構成する不織布内の接合部（融着部）の数よりも多くなるため、中間シートの剛性が表面シートの剛性よりも高くなり、当該中間シートにおいてヨレ難さ（特に湿潤時におけるヨレ難さ）を確保しつつ、上述の表面シートにおいて適度な柔軟性や良好な肌触りを確保し易くなる。その結果、吸収性物品として更に良好な着用感を確保し易くなる。
【００５８】
中間シートの坪量は、本発明の効果を阻害しない限り特に制限されず、所望の強度や柔軟性等を勘案した任意の坪量を採用することができる。そのような坪量としては、例えば、２０ｇ／ｍ2〜２００ｇ／ｍ2の範囲内の坪量が挙げられ、好ましくは３０ｇ／ｍ2〜１００ｇ／ｍ2の範囲内である。なお、中間シートが上述の疎水性積層不織布からなる場合は、当該疎水性積層不織布を構成する各層の坪量の合計坪量が、上述の範囲内にあればよい。
【００５９】
さらに、中間シートの厚みについても、本発明の効果を阻害しない限り特に制限されず、例えば、０．０１ｍｍ〜８．０ｍｍの範囲内の厚みを採用することができるが、強度や柔軟性などの点から、好ましくは０．０５ｍｍ〜５．０ｍｍの範囲内であり、更に好ましくは０．１ｍｍ〜３．０ｍｍの範囲内である。なお、中間シートが上述の疎水性積層不織布からなる場合は、当該疎水性積層不織布を構成する各層の厚みの合計厚みが、上述の範囲内にあればよい。
【００６０】
また、本実施形態において、表面シート２と中間シート４は、ホットメルト型接着剤からなる第１接着層Ａ１を介して相互に接合されているが、本発明において、表面シートと中間シートとの接合形態は、本発明の効果を阻害しない限りこのような形態に限定されず、表面シートと中間シートは、熱融着等の任意の接合手段によって接合されていてもよい。例えば、表面シートと中間シートとが熱融着によって接合されていると、接合部（融着部）が尿などの液状排泄物による分解等の影響を受け難いため、吸収性物品の湿潤時においても接合状態を良好に維持することができ、吸収性物品にヨレがより生じ難くなる。その結果、このような吸収性物品は、湿潤時においても良好な着用感を維持することができる。
【００６１】
なお、本実施形態において中間シート４は、パンティーライナー１（吸収性物品）の厚さ方向Ｔにおいて表面シート２の非肌対向面側の表面２ｂに接合されているが、本発明において中間シートは、表面シートの肌対向面側の表面に接合されていてもよく、その場合、中間シートは、所定の液透過性を有していることが望ましい。中間シートが表面シートの肌対向面側の表面に接合されている場合も、表面シートの強度ひいては吸収性物品の強度を補強するという点では、上述の実施形態と同様の効果を奏することができる。
また、本発明の吸収性物品において、中間シートは必須の構成要素ではないため、吸収性物品の柔軟性等を考慮して、吸収性物品は中間シートを省いた構成とすることもできる。
【００６２】
［裏面シート］
本実施形態において、裏面シート３は、図３に示すように、パンティーライナー１の厚さ方向Ｔにおける非肌対向面側の位置に配置されていて、通気性を備えつつも、着用者から排出された尿などの液状排泄物の透過を防止し、当該液状排泄物が着用者の着衣等に漏れ出ないように機能する液不透過性シートによって構成されている。
【００６３】
裏面シート３を構成する液不透過性シートとしては、特に制限されず、例えば、疎水性不織布、通気性を有するポリエチレンやポリプロピレン等の樹脂フィルム、該樹脂フィルムに不織布を貼り合わせた積層体、ＳＭＳ等の積層不織布などの任意の液不透過性シートを用いることができる。これらの中でも、液不透過性や柔軟性、湿潤時のヨレ難さ等の点から、疎水性不織布を用いることが好ましい。
なお、裏面シートとして疎水性不織布を用いる場合、その疎水性の程度は上述の中間シートと同様であり、疎水性不織布の表面に水を滴下したときに、滴下した水を吸収しない程度の疎水性であれば足りるが、液状排泄物の漏れ難さや湿潤時のヨレ難さ等の点から、疎水性不織布の表面に水を滴下したときに、滴下した水が疎水性不織布の表面で弾かれて水滴を形成する程度の疎水性（いわゆる、撥水性）であることが更に好ましい。
【００６４】
また、裏面シートに用いる疎水性不織布の種類は、本発明の効果を阻害しない限り特に限定されず、例えば、スパンボンド不織布、ポイントボンド不織布、メルトブローン不織布、ＳＭＳ不織布などの任意の不織布を採用することができる。これらの不織布の中でも、１ｄｔｅｘ以下の繊度を有する繊維によって構成された極細繊維層を含む不織布を用いることが好ましい。このような極細繊維層は、通気性及び液不透過性に優れるとともに、適度な柔軟性を有しているため、このような極細繊維層を含む不織布を裏面シートとして用いると、吸収性物品の着用感を更に良好なものにすることができる。なお、極細繊維層を構成する繊維の繊度の下限値は、特に制限されないが、例えば０．１ｄｔｅｘ程度である。
【００６５】
さらに、裏面シートは、上述の疎水性不織布の中でも、ＳＭＳ不織布を用いることが特に好ましい。ＳＭＳ不織布は、スパンボンド／メルトブローン／スパンボンドの３層構造からなる積層不織布であり、当該ＳＭＳ不織布は、通気性と、（特に、スパンボンド層による）一定の強度（ヨレ難さ）とを兼ね備えつつ、（特に、極細繊維層であるメルトブローン層によって）液状排泄物の透過をより効果的に抑制することができる不織布であるため、このような不織布を裏面シートとして用いると、当該裏面シートにおいて、優れた通気性とヨレ難さ（特に湿潤時におけるヨレ難さ）とを確保しつつ、液状排泄物の漏出をより効果的に抑制することができる。
【００６６】
また、裏面シートに用いる疎水性不織布の構成繊維は、疎水性を有するものであれば特に制限されず、例えば、ＰＥ、ＰＰ等のポリオレフィン系繊維；ＰＥＴ等のポリエステル系繊維；芯鞘型複合繊維等の各種複合繊維などの疎水性の熱可塑性樹脂繊維を用いることができる。
【００６７】
本発明において、裏面シートの坪量は、本発明の効果を阻害しない限り特に制限されず、柔軟性、通気性、液不透過性、強度等を勘案した任意の坪量を採用することができる。そのような坪量としては、例えば、８ｇ／ｍ2〜６０ｇ／ｍ2の範囲内の坪量が挙げられ、好ましくは１５ｇ／ｍ2〜５０ｇ／ｍ2の範囲内である。
【００６８】
さらに、裏面シートの厚みについても、本発明の効果を阻害しない限り特に制限されず、例えば、０．０１ｍｍ〜５．０ｍｍの範囲内の厚みを採用することができるが、柔軟性、通気性、液不透過性、強度などの点から、好ましくは０．０５ｍｍ〜３．０ｍｍの範囲内である。
【００６９】
［接着層］
上述の実施形態において、パンティーライナー１は、図３に示すように、表面シート２、中間シート４及び裏面シート３が、各シート間（すなわち、表面シート２と中間シート４との間、及び中間シート４と裏面シート３との間）のそれぞれに配置された、ホットメルト型接着剤による第１接着層Ａ１及び第２接着層Ａ２を介して、互いに接合されている。このように、表面シートと中間シートとの間、及び中間シートと裏面シートとの間が、それぞれ第１接着層及び第２接着層を介して接合されていると、これら各シート間における位置ずれや変形が生じ難くなるため、吸収性物品の吸収性能や着用感等がより安定して維持され易くなる。
【００７０】
なお、上述の実施形態においては、第１接着層Ａ１及び第２接着層Ａ２における接着剤の配置パターンは、いずれも長手方向Ｌに延びる複数本のスパイラル状の配置パターンであるが、本発明においては、このような配置パターンに限定されず、長手方向及び／又は幅方向に延びる複数本の、オメガ状、波線状、ジグザグ状、ストライプ状、帯状等の任意の配置パターンを採用することができる。
【００７１】
さらに、表面シート及び中間シートの間の第１接着層と、中間シート及び裏面シートの間の第２接着層は、それぞれの配置パターンが吸収性物品の厚さ方向に重ならない（すなわち、平面視にて第１接着層の配置パターンと第２接着層の配置パターンが重ならない）ようにして配置されていることが好ましい。第１接着層と第２接着層が、吸収性物品の厚さ方向に重ならない配置パターンでそれぞれ配置されていると、折れ曲がり起点となり得る各接合点が一定以上の数で形成されるため、吸収性物品全体の強度が向上して吸収性物品が更にヨレ難くなるとともに、より適度な柔軟性を兼ね備えることができる。それにより、このような吸収性物品は、更に優れた着用感を確保することができる。
【００７２】
なお、本明細書において、上述の第１接着層と第２接着層が吸収性物品の厚さ方向に重ならない配置パターンとは、第１接着層の配置パターンと第２接着層の配置パターンとが、吸収性物品の厚さ方向に完全に重ならない態様のほか、各配置パターンが吸収性物品の厚さ方向に部分的に重なる態様も含む。
【００７３】
また、上述の実施形態においては、各シート間（すなわち、表面シート２と中間シート４との間、及び中間シート４と裏面シート３との間）が、それぞれホットメルト型接着剤によって互いに接合されているが、本発明においては、各シート間を接合する手段は、本発明の効果を阻害しない限り特に制限されず、各シート間は、例えば、熱融着等の任意の接合手段によって接合されていてもよい。例えば、各シート間が、熱融着によって接合されていると、接合部（融着部）が尿などの液状排泄物による分解等の影響を受け難いため、吸収性物品の湿潤時においても接合状態を良好に維持することができ、吸収性物品にヨレがより一層生じ難くなる。その結果、このような吸収性物品は、湿潤時においても良好な着用感を維持することができる。
【００７４】
次に、本発明の別の実施形態である第２実施形態について、図面を参照しながら詳細に説明する。なお、上述の第１実施形態と異なる部分以外の構成は、基本的に上述の第１実施形態と同様の構成を備えているため、説明を省略する。
【００７５】
図４は、本発明の第２実施形態に係るパンティーライナー１０の平面図である。この第２実施形態に係るパンティーライナー１０は、図４に示すように、前記幅方向Ｗにおける一方側端縁部ＥＷ１及び他方側端縁部ＥＷ２を有し、且つ、平面視にて、前記一方側端縁部ＥＷ１及び前記長手方向Ｌに延びる幅方向中心軸線ＣＬの間に位置し且つ前記長手方向Ｌに延びる長手方向第１仮想直線ＬＬ１と、前記他方側端縁部ＥＷ２及び前記長手方向Ｌに延びる幅方向中心軸線ＣＬの間に位置し且つ前記長手方向Ｌに延びる長手方向第２仮想直線ＬＬ２と、の間に位置する幅方向中央領域ＡＷＣと；前記一方側端縁部ＥＷ１及び前記長手方向第１仮想直線ＬＬ１の間に位置する幅方向第１領域ＡＷ１と；前記他方側端縁部ＥＷ２及び前記長手方向第２仮想直線ＬＬ２の間に位置する幅方向第２領域ＡＷ２と；を有していて、不織布からなる表面シート２は、前記幅方向中央領域ＡＷＣにおける、前記不織布を構成する繊維の毛羽立ち量が、前記幅方向第１領域ＡＷ１及び前記幅方向第２領域ＡＷ２からなる幅方向端部領域における前記繊維の毛羽立ち量よりも多くなるように構成されている。
なお、本発明において、幅方向の一方側端縁部及び幅方向中心軸線の間における前記長手方向第１仮想直線の位置と、幅方向の他方側端縁部及び前記長手方向中心軸線の間における前記長手方向第２仮想直線の位置は、上述の幅方向中央領域が着用者の排泄口に対応する領域を幅方向において包含する（すなわち、上述の幅方向中央領域の幅方向長さが着用者の排泄口に対応する領域の幅方向長さよりも長くなる）ように、吸収性物品の種類等に応じて適宜設定されるものである。例えば、上述の第２実施形態においては、長手方向第１仮想直線ＬＬ１と長手方向第２仮想直線ＬＬ２は、パンティーライナー１を幅方向に略３等分する位置にそれぞれ設定されている。
【００７６】
このように構成されていること以外は、第２実施形態に係るパンティーライナー１０は、第１実施形態に係るパンティーライナー１と同様の構成を備えている。
すなわち、この第２実施形態に係るパンティーライナー１０においても、表面シート２は、前記厚さ方向Ｔにおいてパンティーライナー１０の肌対向面側に向かって突出し且つ前記幅方向Ｗに連続的に延びる凸部２１と、前記厚さ方向Ｔにおいてパンティーライナー１０の非肌対向面側に向かって窪み且つ前記凸部２１と並行して連続的に延びる凹部２２とが交互に配置された、特定の凹凸構造２０を備えている。
【００７７】
この第２実施形態に係るパンティーライナー１０は、不織布からなる表面シート２の前記幅方向中央領域ＡＷＣにおける繊維の毛羽立ち量が、前記幅方向端部領域（すなわち、前記幅方向第１領域ＡＷ１及び前記幅方向第２領域ＡＷ２）における繊維の毛羽立ち量よりも多い（換言すると、前記幅方向端部領域における繊維の毛羽立ち量が、前記幅方向中央領域ＡＷＣにおける繊維の毛羽立ち量よりも少ない）ため、着用者の動作による影響を受け難い前記幅方向中央領域ＡＷＣにおいては、上述の毛羽立ちによる優れた吸収性能を発揮しつつも、着用者の動作（特に、歩行等の幅方向や捻じれ方向（長手方向Ｌを軸として捻じれる方向）の動きが大きい動作）時に着用者の肌面と擦れ易い前記幅方向端部領域においては、繊維の毛羽立ちによるチクチク感などの不快な刺激が着用者に感取され難く、良好な着用感を着用者に提供することができる。
さらに、本実施形態のパンティーライナー１０においても、表面シート２が、パンティーライナー１０の幅方向Ｗに連続的に延びる凸部２１と、該凸部２１と並行して連続的に延びる凹部２２とが交互に配置された特定の凹凸構造２０を備えているため、上記したとおり、着用者の曲率の大きい部分（股間部の腹側部分や臀部等）に対応する長手方向Ｌへ曲がり易く、着用者の身体形状に沿って長手方向Ｌへ容易に変形することができる。この長手方向Ｌへの変形によって、パンティーライナー１０が、着用者に対して固定されてズレ難くなり、着用者の動作時においても、上述の幅方向中央領域ＡＷＣをパンティーライナー１０の所定領域、すなわち、着用者の排泄口に対応する領域に着実に位置決めすることができるため、上述の作用効果（すなわち、前記幅方向中央領域ＡＷＣにおいて優れた吸収性能を発揮しつつ、良好な着用感を着用者に提供することができるという作用効果）を、着用者の動作時においても的確に発揮することができる。
【００７８】
［吸収層］
また、上述の各実施形態におけるパンティーライナーは、表面シート２が吸収層として機能し得るもので形成されていたため、尿などの液状排泄物を吸収・保持するための吸収体等の吸収層が別途設けられていないが、本発明の吸収性物品においては、本発明の効果を阻害しない限りこのような吸収層を備えていてもよい。具体的には、本発明の吸収性物品は、本発明の効果を阻害しない限り、例えば、表面シートと中間シートとの間及び／又は中間シートと裏面シートとの間の位置に、液状排泄物を吸収・保持することのできる吸収層が配置されていてもよい。例えば、表面シートと中間シートとの間にこのような吸収層が配置されていると、表面シートを透過した液状排泄物が、吸収層において吸収・保持されるため、液状排泄物の吸収性物品からの漏出や液戻り等を抑制することができ、結果的に、吸収性物品の良好な着用感をより確実に着用者に提供することができる。
【００７９】
なお、吸収層は、液状排泄物を吸収・保持することのできるものであれば特に制限されず、当分野において公知の任意の吸収体を用いることができる。そのような吸収体の例としては、吸収性材料によって構成される吸収コアを、親水性を有するティッシュ等のコアラップシートで覆ったものなどが挙げられる。また、吸収コアを構成する吸収性材料としては、例えば、親水性繊維や高吸収性ポリマーなどが挙げられ、更に具体的には、粉砕パルプ、コットン等のセルロース繊維；レーヨン、フィブリルレーヨン等の再生セルロース繊維；アセテート、トリアセテート等の半合成セルロース繊維；アクリル酸ナトリウムコポリマー等の高吸収性ポリマーからなる粒状物；及びこれら２種以上の任意の組み合わせなどが挙げられる。
【００８０】
なお、本発明は、上述した各実施形態のパンティーライナーのほかに、例えば、生理用ナプキン、（軽）失禁パッド等の様々な吸収性物品に適用することができる。また、本発明の吸収性物品は、上述した実施形態に制限されることなく、本発明の目的、趣旨を逸脱しない範囲内において、適宜組み合わせや変更等が可能である。なお、本明細書において、「第１」、「第２」等の序数は、当該序数が付された事項を区別するためのものであり、各事項の順序や優先度、重要度等を意味するものではない。
【符号の説明】
【００８１】
１    パンティーライナー（吸収性物品の一例）
２    表面シート
２０    凹凸構造
２１    凸部
２２    凹部
２３    空洞部
３    裏面シート
４    中間シート
５    剥離シート
６    粘着剤層
７    着衣
ＡＬＣ    長手方向中央領域
ＡＬ１    長手方向第１領域
ＡＬ２    長手方向第２領域
ＥＬ１    長手方向における一方側端縁部
ＥＬ２    長手方向における他方側端縁部
ＣＷ    幅方向に延びる長手方向中心軸線
ＬＷ１    幅方向第１仮想直線
ＬＷ２    幅方向第２仮想直線
【図１】
0006351648.tif 000002
【図２】
0006351648.tif 000003
【図３】
0006351648.tif 000004
【図４】
0006351648.tif 000005